(57)【要約】      （修正有）【課題】目土をスムーズに掬い取り、容器本体内に収納でき、目土の補充が簡単に確実に迅速に行え、ディボット跡に目土を狙い通りにスムーズに振り出せ、ディボット跡を正確に且つ迅速に埋めることができ、開閉用開口部を確実に閉鎖したり、ワンタッチで開くことができ、携帯性に優れ、取扱い易く、使い勝手に優れ、構成簡素で、量産に適し、低廉で、経済的で、ゴルフマナーの向上にも役立つゴルフ用目土携帯具を提供する。【解決手段】容器本体Ａとキャップ体Ｂとからなり、キャップ体Ｂは、キャップ基体Ｂ１と、キャップ基体Ｂ１の開閉用開口部を開閉可能な蓋体Ｂ２とからなり、キャップ基体Ｂ１は、基筒部３０と突出片３３とを有し、蓋体Ｂ２に内蔵した開閉機構は、キャップ基体Ｂ１の押圧ボタン４０の押圧で作動し、蓋体Ｂ２が揺動して開閉用開口部が開くよう形成し、突出片３３で目土を掬い取り、容器本体Ａ内に収納できるよう構成する。【選択図】図１
2011000293.tif 000002
【特許請求の範囲】
【請求項１】
ゴルフ場のターフのディボット跡を修復する目土を収納して携帯できるように形成したゴルフ用目土携帯具であって、上端部に開口部を設けた有底筒状の容器本体と、この容器本体の上端部に装着されて開口部を塞ぐキャップ体とからなり、キャップ体は、容器本体の開口部に連通する大きな開閉用開口部を備えたキャップ基体と、このキャップ基体の後部がわに揺動自在に装着されて、開閉用開口部を開閉可能な蓋体とからなり、キャップ基体は、短円筒状の基筒部と、この基筒部の周壁の前部がわを上方に延長するよう形成されると共に、略匙形状となるよう形成される突出片とを有し、蓋体には開閉機構を内蔵し、この開閉機構は、キャップ基体に設けた押圧ボタンの押圧で作動するよう形成されると共に、この作動によって蓋体が自動的に揺動して開閉用開口部が開くよう形成され、容器本体の周胴部を手指で掴めるように形成し、ゴルフ場に予め用意されている目土を、突出片で掬い取ると共に、容器本体内にそのまま収納できるよう構成したことを特徴とするゴルフ用目土携帯具。
【請求項２】
前記開閉機構は、前後方向に摺動自在となるよう蓋体の後部に配される摺動後片と、前後方向に摺動自在となるよう蓋体の前部に配される摺動前片と、摺動後片が前方に摺動すると摺動前片が後方に摺動するように、摺動後片と摺動前片を連繋する揺動片と、摺動前片が前方に摺動する向きに弾発力を常時付勢する弾性スプリングとを備え、キャップ基体に設けた押圧ボタンを前方に押圧すると、押圧ボタンの前端部が摺動後片の後端部を前方に押圧するように形成し、摺動後片の前方への摺動によって摺動前片が後方に摺動すると、摺動前片の前端部とキャップ基体との係止状態が解除されて、蓋体が捩りコイルバネの弾発力によって揺動し、開閉用開口部が開くように構成したことを特徴とする請求項１記載のゴルフ用目土携帯具。
【請求項３】
前記容器本体は、その上端部にキャップ体が装着される内容器と、この内容器に外装される透明な外ケースと、この外ケースを内容器に着脱可能に固定する底部キャップとで構成され、内容器の周壁外表面と外ケースの周壁内表面との間には、内装シート等を収納可能な隙間空間部を設け、内装シート表面には、宣伝広告やその他の適宜表示を施せるように形成したことを特徴とする請求項１または請求項２記載のゴルフ用目土携帯具。
【発明の詳細な説明】
【技術分野】
【０００１】
本発明は、ゴルフ場でのショット時にできるターフのディボット跡を修復する際に利用されるゴルフ用目土携帯具に係り、特に、ゴルフ場のティーグラウンド付近等に予め用意されている目土をスムーズに掬い取ることができると共に、これを収納して携帯でき、また、ディボット跡に目土をスムーズに振り出して、ディボット跡を目土で正確に且つ迅速に埋めることができ、加えて、取扱いが簡単で、使い勝手の優れたゴルフ用目土携帯具に関するものである。
【背景技術】
【０００２】
数あるスポーツの中でゴルフ競技の大きな特徴の一つは、通常審判員が立ち会わない点である。それは、ゴルフがフェアプレーを重視しているスポーツであって、「ゴルファーは皆誠実であり、故意に不正を犯す者はない」ということが基本的な考え方になっているからである。
また、ゴルフゲームは、プレーヤーの一人一人が他のプレーヤーに対しても、心配りをし、ゴルフ規則を守ってプレーするという誠実さに頼っている。
すなわち、プレーヤーは常にコース上の他のプレーヤー、同伴競技者に心配りをすべきであり、特に、自分で作ったディボット跡は入念に直しておくことがマナーの上からも必要となっている。
そして、ディボット跡を修復する際に従来にあっては、ゴルフ場のティーグラウンド付近等に予め用意されている目土をスコップで掬い取って目土袋に入れて携帯するようにしており、ディボット跡を修復するときに、袋内の目土をスコップで掬い出すと共に、この目土をディボット跡に所定量落として埋め、足で平に踏み均すようにすることが一般的に行われている。
【０００３】
また、プレーヤーの負担にならず、且つディボット跡の修復を楽しんで行うことができるようにすべく、例えば、特許文献１に示すような携帯型砂散布用容器が提案されるようになった。これは、底部に蓋を有する基部筒体とそれに連通する基部筒体より小径の先端筒体からなり、先端筒体の先端の横方向に頂部を突出させて傾斜させた開口を有するものである。
【先行技術文献】
【特許文献】
【０００４】
【特許文献１】実用新案登録第３０９２４８６号公報
【発明の概要】
【発明が解決しようとする課題】
【０００５】
ところが、前述の如き携帯型砂散布用容器にあっては、以下のような問題点があった。すなわち、底部にある蓋を取り外してから、基部筒体内にスコップで砂を充填しなければならないことや、開口が常時開放状態にあるため、容器が大きく傾いたり、転倒したときに砂が開口から出てしまうこと等の点である。
【０００６】
そこで、本発明は、前述の如き問題点等を解消して、スコップを利用しなくても目土をスムーズに掬い取ることができると共に、この目土を確実に収納しておけ、また、ディボット跡に目土をスムーズに振り出せて、ディボット跡を目土で正確に且つ迅速に埋めることができ、加えて、蓋体によって開口部を開閉自在とし、その開閉操作が簡単で、取扱い易く、使い勝手に優れ、更に、外観上の体裁が良くなると共に、宣伝広告媒体としても利用でき、しかも、構成が簡素で、量産に適し、低廉に提供でき、ひいては、ゴルフマナーの向上に役立つゴルフ用目土携帯具を提供できるようにすべく創出されたものである。
【課題を解決するための手段】
【０００７】
しかして、前述の如き課題を達成できるようにすべく、請求項１記載のゴルフ用目土携帯具にあっては、ゴルフ場のターフのディボット跡を修復する目土を収納して携帯できるように形成したゴルフ用目土携帯具であって、上端部に開口部１を設けた有底筒状の容器本体Ａと、この容器本体Ａの上端部に装着されて開口部１を塞ぐキャップ体Ｂとからなり、キャップ体Ｂは、容器本体Ａの開口部１に連通する大きな開閉用開口部３２を備えたキャップ基体Ｂ１と、このキャップ基体Ｂ１の後部がわに揺動自在に装着されて、開閉用開口部３２を開閉可能な蓋体Ｂ２とからなり、キャップ基体Ｂ１は、短円筒状の基筒部３０と、この基筒部３０の周壁の前部がわを上方に延長するよう形成されると共に、略匙形状となるよう形成される突出片３３とを有し、蓋体Ｂ２には開閉機構を内蔵し、この開閉機構は、キャップ基体Ｂ１に設けた押圧ボタン４０の押圧で作動するよう形成されると共に、この作動によって蓋体Ｂ２が自動的に揺動して開閉用開口部３２が開くよう形成され、容器本体Ａの周胴部を手指で掴めるように形成し、ゴルフ場に予め用意されている目土を、突出片３３で掬い取ると共に、容器本体Ａ内にそのまま収納できるよう構成する手段を採用した。
【０００８】
また、請求項２記載のゴルフ用目土携帯具にあっては、前記開閉機構は、前後方向に摺動自在となるよう蓋体Ｂ２の後部に配される摺動後片６１と、前後方向に摺動自在となるよう蓋体Ｂ２の前部に配される摺動前片６２と、摺動後片６１が前方に摺動すると摺動前片６２が後方に摺動するように、摺動後片６１と摺動前片６２を連繋する揺動片６３と、摺動前片６２が前方に摺動する向きに弾発力を常時付勢する弾性スプリング６４とを備え、キャップ基体Ｂ１に設けた押圧ボタン４０を前方に押圧すると、押圧ボタン４０の前端部が摺動後片６１の後端部を前方に押圧するように形成し、摺動後片６１の前方への摺動によって摺動前片６２が後方に摺動すると、摺動前片６２の前端部とキャップ基体Ｂ１との係止状態が解除されて、蓋体Ｂ２が捩りコイルバネ３８の弾発力によって揺動し、開閉用開口部３２が開くように構成する手段を採用した。
【０００９】
更に、請求項３記載のゴルフ用目土携帯具にあっては、前記容器本体Ａは、その上端部にキャップ体Ｂが装着される内容器Ａ１と、この内容器Ａ１に外装される透明な外ケースＡ２と、この外ケースＡ２を内容器Ａ１に着脱可能に固定する底部キャップＡ３とで構成され、内容器Ａ１の周壁外表面と外ケースＡ２の周壁内表面との間には、内装シート２５等を収納可能な隙間空間部１６を設け、内装シート２５表面には、宣伝広告やその他の適宜表示を施せるように形成する手段を採用した。
【発明の効果】
【００１０】
従って、請求項１記載のゴルフ用目土携帯具によれば、取扱い易く、使い勝手に優れ、しかも、構成が簡素で、量産に適し、低廉に提供でき、経済的で、ひいては、ゴルフマナーの向上にも役立つゴルフ用目土携帯具となる。
【００１１】
特に、スコップを利用しなくても容器本体Ａを手指で掴み、突出片３３で目土をスムーズに掬い取り、目土をそのまま容器本体Ａ内にスムーズに収納させることができる。すなわち、目土の補充が誰でも簡単に、確実に、且つ迅速に行えるものとなる。
【００１２】
更に、キャップ基体Ｂ１は、短円筒状の基筒部３０と、この基筒部３０の周壁の前部がわを上方に延長するよう形成されると共に、略匙形状となるよう形成される突出片３３とを有しているので、ディボット跡に目土を狙い通りにスムーズに振り出せて、ディボット跡を目土で正確に且つ迅速に埋めることができるようになる。
【００１３】
また、キャップ基体Ｂ１の開閉用開口部３２を開閉可能な蓋体Ｂ２を設けたので、開閉用開口部３２を閉鎖しておけ、ゴルフ用目土携帯具が大きく傾いたり、転倒したとしても、容器本体Ａ内の目土が開閉用開口部３２から出てしまうような虞のない携帯性の優れたものとなる。
【００１４】
加えて、蓋体Ｂ２には開閉機構を内蔵し、この開閉機構は、キャップ基体Ｂ１に設けた押圧ボタン４０の押圧で作動するよう形成されると共に、この作動によって蓋体Ｂ２が自動的に揺動して開閉用開口部３２が開くよう形成されているので、押圧ボタン４０の押圧操作により、ワンタッチで蓋体Ｂ２が揺動して開閉用開口部３２を開くことができ、より取扱い易く、使い勝手に優れたものとなる。
【００１５】
また、請求項２記載のゴルフ用目土携帯具によれば、キャップ基体Ｂ１に設けた押圧ボタン４０を前方に押圧すると、押圧ボタン４０の前端部が摺動後片６１の後端部を前方に押圧し、摺動後片６１が前方へ摺動すると、摺動前片６２が後方に摺動して、摺動前片６２の前端部とキャップ基体Ｂ１との係止状態が解除され、蓋体Ｂ２が捩りコイルバネ３８の弾発力によって揺動して、開閉用開口部３２が確実に且つスムーズに開くようになる。
そして、蓋体Ｂ２を捩りコイルバネ３８の弾発力に抗して揺動させるだけで、摺動前片６２の前端部とキャップ基体Ｂ１とが係止状態となって、開閉用開口部３２を蓋体Ｂ２で閉じた状態が確実に維持できるようになる。
しかも、開閉機構は、比較的構成が簡素となり、蓋体Ｂ２にコンパクトに内蔵し易いものとなる。
【００１６】
更に、請求項３記載のゴルフ用目土携帯具によれば、内容器Ａ１の周壁外表面と透明な外ケースＡ２の周壁内表面との間の隙間空間部１６に、内装シート２５等を収納することができ、内装シート２５表面に施した宣伝広告やその他の適宜表示を、外部から視認できるようになり、宣伝広告媒体として利用でき、宣伝効果の優れたものとなると共に、興趣に富むものとなる。
加えて、隙間空間部１６に収納された内装シート２５は、確実に保護されるようになると共に、透明な外ケースＡ２を介して綺麗に視認できるようになる。
しかも、底部キャップＡ３によって、外ケースＡ２が内容器Ａ１に着脱可能に固定されるので、内装シート２５の互換装着が簡単に行えるようになる。
【図面の簡単な説明】
【００１７】
【図１】本発明のゴルフ用目土携帯具を例示する分解斜視図である。
【図２】本発明のゴルフ用目土携帯具を例示する一部切欠側面図である。
【図３】本発明のゴルフ用目土携帯具のキャップ体を例示する分解斜視図である。
【図４】本発明のゴルフ用目土携帯具のキャップ体の蓋体を例示する分解斜視図である。
【図５】本発明のゴルフ用目土携帯具のキャップ体を例示する一部切欠底面図である。
【図６】本発明のゴルフ用目土携帯具のキャップ体を例示する縦断側面図である。
【図７】本発明の他のゴルフ用目土携帯具を例示する分解斜視図である。
【図８】本発明の他のゴルフ用目土携帯具を例示する一部切欠側面図である。
【発明を実施するための形態】
【００１８】
以下、本発明を図示例に基づいて説明すると、次の通りである。
本発明は、ゴルフ場のターフのディボット跡を修復する目土を収納して携帯できるようにしたゴルフ用目土携帯具に係り、特に、ゴルフ場のティーグラウンド付近等に予め用意されている目土をスムーズに掬い取りながら収納できるように構成すると共に、ディボット跡に目土をスムーズに且つ狙い通り振り出せて、ディボット跡を目土で正確に且つ迅速に埋めることができるように構成したものである。
具体的には、上端部に開口部１を設けた有底筒状の容器本体Ａと、この容器本体Ａの上端部に装着されて開口部１を塞ぐキャップ体Ｂとからなっている。
そして、キャップ体Ｂは、容器本体Ａの開口部１に連通する大きな開閉用開口部３２を備えたキャップ基体Ｂ１と、このキャップ基体Ｂ１の後部がわに揺動自在に装着されて、開閉用開口部３２を開閉可能な蓋体Ｂ２とからなっている。
更に、キャップ基体Ｂ１は、短円筒状の基筒部３０と、この基筒部３０の周壁の前部がわを上方に延長するよう形成されると共に、略匙形状となるよう形成される突出片３３とを有している。
また、蓋体Ｂ２には開閉機構を内蔵し、この開閉機構は、キャップ基体Ｂ１に設けた押圧ボタン４０の押圧で作動するよう形成されると共に、この作動によって蓋体Ｂ２が自動的に揺動して開閉用開口部３２が開くよう形成されている。
しかも、容器本体Ａの周胴部を手指で掴めるように形成し、ゴルフ場に予め用意されている目土を、突出片３３で掬い取ると共に、容器本体Ａ内にそのまま収納できるよう構成することにより、前記課題を達成する。
【実施例】
【００１９】
前記容器本体Ａは、例えば、目土を所定量収納することができるように形成されると共に、その周胴部を手指で掴めるように形成されたもので、しかも、図１及び図２に示す容器本体Ａは、目土が収納されると共にその上端部にキャップ体Ｂが装着される内容器Ａ１と、この内容器Ａ１に外装される透明な外ケースＡ２と、この外ケースＡ２を内容器Ａ１に着脱可能に固定する底部キャップＡ３とで構成されている。
【００２０】
そして、前記内容器Ａ１は、例えば、適宜合成樹脂材（或いは、適宜複合材等でも良い）によって形成されると共に、上端部に大きな円形状の開口部１を設けた有底円筒状に形成されており、その上端部の周壁外表面には、後述するキャップ体Ｂの雌ネジ部３１に螺合可能な雄ネジ部２が形成され、この雄ネジ部２の下部には、キャップ体Ｂの下端縁が当接するフランジ部３が周設され、このフランジ部３の一部（例えば、後部）には、後述する外ケースＡ２の係止凹部１１に嵌合可能な係止凸部４が下方に向って突設され、その底壁部の下面には、短円筒状の底筒部５が連設され、この底筒部５の外周表面には、後述する底部キャップＡ３の雌ネジ部２１に螺合可能な雄ネジ部６が形成されている。
尚、前記係止凸部４は、例えば、半円板状等に形成され、外ケースＡ２の係止凹部１１に嵌合されることにより、内容器Ａ１に対する外ケースＡ２の回り止めとなっている。
また、内容器Ａ１の周壁部分は、上方に行くに従って大径となるようなテーパー筒状に形成されているが、テーパーは無くても良い。
【００２１】
前記外ケースＡ２は、例えば、透明な適宜合成樹脂材（或いは、強化硝子や適宜複合材等でも良い）によって形成されると共に、内容器Ａ１の周壁部分より僅かに大きな有底円筒状に形成されており、その上端部の周壁外表面には、内容器Ａ１のフランジ部３の下端周縁が嵌合可能な上切欠段部１０が周設され、この上切欠段部１０の一部には、前記係止凸部４が嵌合可能な係止凹部１１が形成され、その周壁外表面の適宜位置（例えば、後部上端寄り）には、適宜ストラップ等が取付可能となるようなストラップ取付部１２が形成され、その底壁部中央には、前記底筒部５が遊挿可能な円形状の透孔１３が穿設され、その下端部の周壁外表面には、底部キャップＡ３の周壁上端縁部分が嵌合可能となる下切欠段部１４が周設され、その周壁の筒芯方向中央部分には、上部より僅かに細くなるような括れ部１５が設けられている。
尚、括れ部１５は、ゴルフ用目土携帯具を手指によって安定的に且つ確実に掴めるように形成され、ひいては、目土を掬い取ったり、目土を振り出したりし易くし、より使い勝手が良くなるように形成されたものである。
【００２２】
前記底部キャップＡ３は、例えば、適宜合成樹脂材（或いは、適宜複合材等でも良い）によって形成されると共に、有底短円筒状に形成されており、その周壁上端縁部分は、前記外ケースＡ２の下切欠段部１４に嵌合し、その底壁上面中央には、短円筒状の円筒部２０が連設され、この円筒部２０の内周面には、前記底筒部５の雄ネジ部６に螺合可能な雌ネジ部２１が形成されている。
すなわち、内容器Ａ１に外ケースＡ２を外装させ、底部キャップＡ３の雌ネジ部２１を内容器Ａ１の雄ネジ部６に螺着させることにより、内容器Ａ１のフランジ部３と底部キャップＡ３の周壁上端縁とで、外ケースＡ２の上切欠段部１０と下切欠段部１４を上下から挟圧し、内容器Ａ１、外ケースＡ２、底部キャップＡ３相互が安定的に固定されるように形成してある。
【００２３】
尚、底部キャップＡ３を利用して外ケースＡ２を内容器Ａ１に装着したときには、内容器Ａ１の周壁外表面と外ケースＡ２の周壁内表面との間には、隙間空間部１６が設けられるようになっており、この隙間空間部１６には、内装シート２５等を収納できるように構成されている。
しかも、内装シート２５表面には、宣伝広告や、その他の適宜表示を施す（例えば、氏名を表示したり、所属団体名を表示したり、綺麗な図柄や写真等を表示したり、その他適宜自由な表示を施すことができる）ことができ、この宣伝広告やその他の適宜表示は外ケースＡ２を介して視認され、宣伝広告媒体としても利用できるように構成されている。すなわち、宣伝効果に優れ、興趣に富むものとなるように構成されている。
また、隙間空間部１６に収納された内装シート２５は、確実に保護されると共に、透明な外ケースＡ２を介して綺麗に視認されるようになる。更に、底部キャップＡ３によって、外ケースＡ２が内容器Ａ１に着脱可能に固定され、内装シート２５の互換装着が簡単に行えるように形成されている。
【００２４】
ところで、容器本体Ａは、図７に示すように、適宜合成樹脂材（或いは、適宜複合材等でも良い）によって上端部に大きな円形状の開口部１を設けた有底円筒状に形成し、その上端部分の周壁外表面に雄ネジ部２を設けると共に、その周胴部の筒芯方向中央部分に括れ部１５を設けたものであっても良い。
【００２５】
また、容器本体Ａは、図８に示すように、適宜合成樹脂材（或いは、適宜複合材等でも良い）によって上端部に大きな円形状の開口部１を設けた有底円筒状に形成し、その上端部分の周壁外表面に雄ネジ部２を設けると共に、その周胴部の一部（例えば、下部、或いは、全部）に筒芯方向に伸縮自在な蛇腹部１７を設けたものでも良い。すなわち、その不使用時には、蛇腹部１７を収縮させておき、コンパクトに保管できるようにし、その使用時には、蛇腹部１７を伸長させて、ある程度の量の目土を容器本体Ａに収納しておけるように形成しても良い。
ところで、蛇腹部１７は、比較的薄肉状に形成され、スムーズに伸縮するように形成され、この蛇腹部１７より上部にある周胴部は、比較的厚肉状に形成され、手指で掴んだときに変形しないように形成される。
【００２６】
更に、図に示すキャップ体Ｂは、例えば、容器本体Ａの開口部１に連通する大きな略Ｄ字形状の開閉用開口部３２を備えたキャップ基体Ｂ１と、このキャップ基体Ｂ１の後部がわに設けた後部天板３４に揺動自在に装着されて、開閉用開口部３２を開閉可能な蓋体Ｂ２とで構成されている。
【００２７】
そして、前記キャップ基体Ｂ１は、例えば、適宜合成樹脂材（或いは、適宜複合材等でも良い）によって形成されており、しかも、その下部が内容器Ａ１（容器本体Ａ）の雄ネジ部２部分に外装される短円筒状の基筒部３０と、この基筒部３０の周壁の前部がわ（例えば、平面から見て１８０度を越えるような範囲の周壁部分）を上方に延長する（例えば、中央部分が一番高く、両端がわに行くに従って漸次低くなるように延長する）よう形成されると共に、幅広な匙形状に形成される突出片３３とを有している。すなわち、突出片３３は、ゴルフ場のティーグラウンド付近等に予め用意されている目土をスムーズに掬い取れて、しかも、容器本体Ａに収納されている目土をディボット跡に狙い通りにスムーズに振り出せるように形成されている。
【００２８】
また、前記蓋体Ｂ２は、例えば、適宜合成樹脂材（或いは、適宜複合材等でも良い）によって形成されており、更に、蓋体Ｂ２には、開閉機構が内蔵されている。しかも、この開閉機構は、キャップ基体Ｂ１に設けた押圧ボタン４０の押圧で作動するよう形成されると共に、この作動によって蓋体Ｂ２が自動的に揺動して開閉用開口部３２が開くよう形成されている。
【００２９】
前記キャップ基体Ｂ１の基筒部３０は、例えば、その内周面に雌ネジ部３１が設けてあり、この雌ネジ部３１が内容器Ａ１（容器本体Ａ）の雄ネジ部２に螺合可能となるよう形成されている。更に、基筒部３０の上端後部には、弓形状の後部天板３４が一体的に連設され、この後部天板３４の前方に比較的大きな略Ｄ字形状となる開閉用開口部３２が配されている。
そして、後部天板３４の上面の前がわ左右には、一対の軸ピン支持部３５が設けられ、この一対の軸ピン支持部３５に跨るように、蓋体Ｂ２を揺動自在に支持する金属製軸ピン３７が装着できるよう形成されている。
【００３０】
尚、図中３８は、軸ピン３７に装着される捩りコイルバネで、この捩りコイルバネ３８は、その一端がキャップ基体Ｂ１に当接され、その他端が蓋体Ｂ２に当接されて、キャップ基体Ｂ１に対して蓋体Ｂ２が後方に揺動する向きに、その弾発力を常時付勢できるよう設けられたものである。
【００３１】
また、後部天板３４の後部と基筒部３０の一部（後部がわ上部）とに跨るように刳り貫き部３６が設けてあり、この刳り貫き部３６には、後述する押圧ボタン４０が前後方向に摺動できるように配されている。
【００３２】
そして、押圧ボタン４０は、例えば、適宜合成樹脂材（或いは、適宜複合材等でも良い）によって形成されており、矩形板状の基板４１と、この基板４１の後部上面に突設される押圧片４２と、基板４１の前端中央に突設される突出小片４３とからなり、後部天板３４の下面がわにネジ止めされるボタン装着片４６を介して、前後方向に摺動自在となるように装着されている
しかも、基板４１の中央には矩形状の孔部４４が穿設され、この孔部４４には弾性スプリング４５が縮装されており、この弾性スプリング４５は、押圧ボタン４０が後方に摺動する向きにその弾発力を常時付勢できるよう形成されている。すなわち、弾性スプリング４５は、その後端部分が孔部４４の後端縁に当接すると共に、その前端部分が後部天板３４の下面から下方に突設された小片に当接するように縮装されている。
尚、押圧片４２は、押圧ボタン４０が摺動しても刳り貫き部３６内に常時収まるように形成されており（例えば、後部天板３４の下面から下方に突設された小片に孔部４４の前端縁が当接することで、それ以上押圧ボタン４０が後退しないように形成してある。）、ゴルフ用目土携帯具が転倒したとき等に押圧されることがないように形成してある。
【００３３】
更に、前記蓋体Ｂ２は、例えば、軸ピン３７に取付けられて前後方向に揺動自在となるように装着されると共に、開閉用開口部３２を塞ぐことができるように形成される基盤５０と、この基盤５０にネジ止めされる押え板６０と、基盤５０と押え板６０で囲繞された空間内に配される開閉機構とからなっている。尚、蓋体Ｂ２は、例えば、ヒンジ等によってキャップ基体Ｂ１に揺動自在に取付けられるようにしても良い。
【００３４】
前記基盤５０は、例えば、適宜合成樹脂材（或いは、適宜複合材等でも良い）によって形成されており、開閉用開口部３２より稍大きい天板部５１と、開閉用開口部３２に収まるように形成されると共に、天板部５１に一体的に連設される周壁部５２とを有し、天板部５１の後部中央には、軸ピン３７が貫通されると共に、捩りコイルバネ３８が収容可能となるよう形成される軸ピン貫通部５３が形成され、周壁部５２の後部には、後切欠部５４が切設され、周壁部５２の前部には、前切欠部５５が切設され、天板部５１下面中央には、軸突起５６が突設されている。
【００３５】
前記押え板６０は、例えば、適宜合成樹脂材（或いは、適宜複合材等でも良い）によって形成されており、基盤５０の周壁部５２下端部分に収まるようにネジ止めされる。
【００３６】
前記開閉機構は、例えば、前後方向に摺動自在となるよう蓋体Ｂ２の後部に配される摺動後片６１と、前後方向に摺動自在となるよう蓋体Ｂ２の前部に配される摺動前片６２と、摺動後片６１が前方に摺動すると摺動前片６２が後方に摺動するように、摺動後片６１と摺動前片６２を連繋する揺動片６３と、摺動前片６２が前方に摺動する向きに弾発力を常時付勢する弾性スプリング６４とを備えたものである。
そして、キャップ基体Ｂ１に設けた押圧ボタン４０を前方に押圧すると、押圧ボタン４０の前端部（突出小片４３前端）が摺動後片６１の後端部を前方に押圧し、摺動後片６１が前方へ摺動すると、揺動片６３が弾性スプリング６４の弾発力に抗して揺動し、この揺動片６３の揺動によって摺動前片６２が後方に摺動し、摺動前片６２が後方に摺動すると、摺動前片６２の前端部とキャップ基体Ｂ１（開閉用開口部３２の孔縁部分）との係止状態が解除されるように構成されたもので、この係止状態の解除によって、蓋体Ｂ２が捩りコイルバネ３８の弾発力によって揺動して、開閉用開口部３２が開くように構成されている。
【００３７】
前記摺動後片６１は、例えば、適宜合成樹脂材（或いは、適宜複合材等でも良い）によって形成されており、前後方向に摺動自在となるように蓋体Ｂ２後部に内装されると共に、その後端部が後切欠部５４に露出するように配されている。しかも、押圧ボタン４０の前方への摺動によって、突出小片４３の前端部分が後切欠部５４内に侵入したときに、その後端部が押圧されて、前方に摺動するように形成されている。
尚、摺動後片６１は、基盤５０の天板部５１下面に設けたガイド片等によって前後方向にのみスムーズに摺動するように形成されている。
【００３８】
前記摺動前片６２は、例えば、適宜合成樹脂材（或いは、適宜複合材等でも良い）によって形成されており、前後方向に摺動自在となるように蓋体Ｂ２前部に内装されると共に、その前端部が前切欠部５５から前方に僅かに突出するように配されている。しかも、押圧ボタン４０の前方への摺動によって、摺動後片６１が前方に摺動したときに、揺動片６３を介して後方に摺動するように形成されている。すなわち、後方に摺動して、その前端部が前切欠部５５内に収まったときに、摺動前片６２の前端部と開閉用開口部３２孔縁部分との係止状態が解除され、捩りコイルバネ３８の弾発力によって蓋体Ｂ２が大きく揺動して、開閉用開口部３２が開口状態となる。
更に、摺動前片６２には、軸突起５６が摺動自在に挿通される前後方向に長い長円状となる長円軸孔６９や、揺動片６３の係止ピン６７が摺動自在に挿通される左右方向に長い長円状となるピン孔６８が穿設されている。
尚、摺動前片６２は、前記長円軸孔６９や、基盤５０の天板部５１下面に設けたガイド片等によって前後方向にのみスムーズに摺動するように形成されている。
【００３９】
前記揺動片６３は、例えば、適宜合成樹脂材（或いは、適宜複合材等でも良い）によって形成されており、左右方向に長い矩形板状に形成され、その中央部分には、軸突起５６が挿通される軸孔６５が穿設され、その長手方向他端部分には係止ピン６７が突設されると共に、スプリング受け６６が連設されている。
そして、揺動片６３は軸突起５６を中心として揺動し、その長手方向一端部分には、摺動後片６１の前端部分が当接されている。すなわち、摺動後片６１が前方に摺動すると、揺動片６３の長手方向一端部分が前方に押圧されて、揺動片６３全体が揺動するように形成されている。
また、スプリング受け６６には縮装されている弾性スプリング６４の前端部分が当接されていて、弾性スプリング６４の弾発力によって揺動片６３の長手方向他端部分が常時前方に押圧されるように形成されている。
更に、揺動片６３の係止ピン６７は、摺動前片６２のピン孔６８に挿通され、揺動片６３の揺動動作に連繋して、摺動前片６２が前後方向に摺動できるように形成されている。
ところで、弾性スプリング６４の弾発力は、摺動前片６２に直接作用するように構成しても良い。また、揺動片６３は、摺動後片６１が前方に摺動したときに、摺動前片６２がスムーズに且つ確実に後方に摺動できるように構成されたものであれば良い。
【００４０】
尚、ゴルフ用目土携帯具の具体的構成、形状、寸法、材質、容器本体Ａの具体的構成、形状、寸法、材質、内容器Ａ１の具体的構成、形状、寸法、材質、外ケースＡ２の具体的構成、形状、寸法、材質、底部キャップＡ３の具体的構成、形状、寸法、材質、開口部１の具体的構成、形状、寸法、配設位置、雄ネジ部２の具体的構成、形状、寸法、配設位置、フランジ部３の具体的構成、形状、寸法、配設位置、係止凸部４の具体的構成、形状、寸法、配設位置、数、底筒部５の具体的構成、形状、寸法、雄ネジ部６の具体的構成、形状、寸法、上切欠段部１０の具体的構成、形状、寸法、配設位置、係止凹部１１の具体的構成、形状、寸法、配設位置、数、ストラップ取付部１２の具体的構成、形状、寸法、配設位置、数、透孔１３の具体的構成、形状、寸法、配設位置、下切欠段部１４の具体的構成、形状、寸法、配設位置、括れ部１５の具体的構成、形状、寸法、配設位置、隙間空間部１６の具体的構成、形状、寸法、蛇腹部１７の具体的構成、形状、寸法、材質、円筒部２０の具体的構成、形状、寸法、配設位置、雌ネジ部２１の具体的構成、形状、寸法、内装シート２５の具体的構成、形状、寸法、材質、キャップ体Ｂの具体的構成、形状、寸法、材質、キャップ基体Ｂ１の具体的構成、形状、寸法、材質、蓋体Ｂ２の具体的構成、形状、寸法、材質、基筒部３０の具体的構成、形状、寸法、雌ネジ部３１の具体的構成、形状、寸法、配設位置、開閉用開口部３２の具体的構成、形状、寸法、配設位置、突出片３３の具体的構成、形状、寸法、配設位置、後部天板３４の具体的構成、形状、寸法、配設位置、軸ピン支持部３５の具体的構成、形状、寸法、配設位置、数、刳り貫き部３６の具体的構成、形状、寸法、配設位置、軸ピン３７の具体的構成、形状、寸法、材質、捩りコイルバネ３８の具体的構成、形状、寸法、材質、配設位置、数、押圧ボタン４０の具体的構成、形状、寸法、材質、基板４１の具体的構成、形状、寸法、押圧片４２の具体的構成、形状、寸法、配設位置、突出小片４３の具体的構成、形状、寸法、配設位置、孔部４４の具体的構成、形状、寸法、配設位置、弾性スプリング４５の具体的構成、形状、寸法、材質、配設位置、ボタン装着片４６の具体的構成、形状、寸法、材質、配設位置、基盤５０の具体的構成、形状、寸法、材質、天板部５１の具体的構成、形状、寸法、周壁部５２の具体的構成、形状、寸法、軸ピン貫通部５３の具体的構成、形状、寸法、配設位置、数、後切欠部５４の具体的構成、形状、寸法、配設位置、前切欠部５５の具体的構成、形状、寸法、配設位置、軸突起５６の具体的構成、形状、寸法、配設位置、押え板６０の具体的構成、形状、寸法、材質、摺動後片６１の具体的構成、形状、寸法、材質、配設位置、摺動前片６２の具体的構成、形状、寸法、材質、配設位置、揺動片６３の具体的構成、形状、寸法、材質、配設位置、弾性スプリング６４の具体的構成、形状、寸法、材質、配設位置、軸孔６５の具体的構成、形状、寸法、配設位置、スプリング受け６６の具体的構成、形状、寸法、配設位置、係止ピン６７の具体的構成、形状、寸法、配設位置、ピン孔６８の具体的構成、形状、寸法、配設位置、長円軸孔６９の具体的構成、形状、寸法、配設位置等は図示例のもの等に限定されることなく適宜自由に設定、変更できるものである。
【産業上の利用可能性】
【００４１】
しかして、本発明のゴルフ用目土携帯具は、スコップを利用しなくても、突出片３３で目土をスムーズに掬い取り、目土をそのまま容器本体Ａ内に収納させることができる。すなわち、目土の補充が誰でも簡単に、確実に、且つ迅速に行えるようになる。
また、開閉用開口部３２を蓋体Ｂ２で確実に閉鎖しておけ、ゴルフ用目土携帯具が大きく傾いたり、転倒したりしても、容器本体Ａ内の目土が開閉用開口部３２から出ることがなく、携帯性に優れたものとなる。しかも、押圧ボタン４０の押圧により、ワンタッチで蓋体Ｂ２が揺動して開閉用開口部３２を開くことができるものとなる。
更に、ディボット跡に目土を狙い通りにスムーズに振り出せ、ディボット跡を正確に且つ迅速に目土で埋められるようになる。ひいては、ゴルフマナーの向上にも役立つゴルフ用目土携帯具となる。
【符号の説明】
【００４２】
Ａ      容器本体
Ａ１    内容器
Ａ２    外ケース
Ａ３    底部キャップ
１      開口部
２      雄ネジ部
３      フランジ部
４      係止凸部
５      底筒部
６      雄ネジ部
１０    上切欠段部
１１    係止凹部
１２    ストラップ取付部
１３    透孔
１４    下切欠段部
１５    括れ部
１６    隙間空間部
１７    蛇腹部
２０    円筒部
２１    雌ネジ部
２５    内装シート
Ｂ      キャップ体
Ｂ１    キャップ基体
Ｂ２    蓋体
３０    基筒部
３１    雌ネジ部
３２    開閉用開口部
３３    突出片
３４    後部天板
３５    軸ピン支持部
３６    刳り貫き部
３７    軸ピン
３８    捩りコイルバネ
４０    押圧ボタン
４１    基板
４２    押圧片
４３    突出小片
４４    孔部
４５    弾性スプリング
４６    ボタン装着片
５０    基盤
５１    天板部
５２    周壁部
５３    軸ピン貫通部
５４    後切欠部
５５    前切欠部
５６    軸突起
６０    押え板
６１    摺動後片
６２    摺動前片
６３    揺動片
６４    弾性スプリング
６５    軸孔
６６    スプリング受け
６７    係止ピン
６８    ピン孔
６９    長円軸孔
【図１】
2011000293.tif 000003
【図２】
2011000293.tif 000004
【図３】
2011000293.tif 000005
【図４】
2011000293.tif 000006
【図５】
2011000293.tif 000007
【図６】
2011000293.tif 000008
【図７】
2011000293.tif 000009
【図８】
2011000293.tif 000010